(57)【要約】【課題】  走行する帯状体からなる被塗布物に塗料を塗布させて連続塗装するにあたり、塗料が塗布された被塗布物を加熱室に導く途中や、加熱室において加熱された被塗布物を冷却室に導く途中において、被塗布物に塗布された塗料から発生したガスが外部に飛散するのを防止すると共に、塗装された被塗布物の塗膜に異物が付着するのを防止する。【解決手段】  走行する帯状体からなる被塗布物Xに塗布装置11により塗料を塗布し、塗料が塗布された被塗布物を加熱させる加熱室30、加熱された被塗布物を冷却させる冷却室50の順に導いて、被塗布物を連続塗装させるにあたり、被塗布物に塗布された塗料から発生するガスを回収するガス回収室20,40を、塗布装置と加熱室との間、加熱室と冷却室との間の少なくとも一方に設けると共に、ガス回収室の内面を加熱させる加熱手段60を設けた。【選択図】  図１
2016221418.tif 000002
【特許請求の範囲】
【請求項１】
帯状体からなる被塗布物を走行させ、この被塗布物に塗布装置によって塗料を塗布し、このように塗料が塗布された被塗布物を加熱させる加熱室と、加熱された被塗布物を冷却させる冷却室とに導いて、被塗布物を連続塗装させる連続塗装装置において、被塗布物に塗布された塗料から発生するガスを回収するガス回収室を、前記の塗布装置若しくは塗布室内に設けた塗布装置と加熱室との間、前記の加熱室と冷却室との間の少なくとも一方に設けると共に、前記のガス回収室の内面を加熱させる加熱手段を設けたことを特徴とする連続塗装装置。
【請求項２】
請求項１に記載した連続塗装装置において、前記のガス回収室の壁部を２重構造にして壁部内に流路を形成し、この流路内に前記の加熱手段により加熱された熱風を通して、ガス回収室の内面を加熱させることを特徴とする連続塗装装置。
【請求項３】
請求項１又は請求項２に記載した連続塗装装置において、前記のガス回収室の内面を加熱させる温度を、被塗布物に塗布された塗料から発生するガスの沸点以上にすることを特徴とする連続塗装装置。
【請求項４】
請求項１〜請求項３の何れか１項に記載した連続塗装装置において、前記のガス回収室において回収したガスを、排気ダクトを通してガス処理設備に導いて処理することを特徴とする連続塗装装置。
【発明の詳細な説明】
【技術分野】
【０００１】
本発明は、帯状体からなる被塗布物を走行させ、この被塗布物に塗布装置によって塗料を塗布し、このように塗料が塗布された被塗布物を加熱させる加熱室と、加熱された被塗布物を冷却させる冷却室とに導いて、被塗布物を連続塗装させる連続塗装装置に関するものである。特に、塗布装置により塗料が塗布された被塗布物を加熱室に導く途中や、加熱室において加熱された被塗布物を冷却室に導く途中において、被塗布物に塗布された塗料から発生したガスが外部に飛散するのを防止すると共に、塗装された被塗布物の塗膜に異物が付着するのを防止するようにした点に特徴を有するものである。
【背景技術】
【０００２】
従来、金属ストリップ等の帯状体からなる被塗布物を連続して塗装させるにあたり、特許文献１に示されるように、帯状体からなる被塗布物を走行させて、この被塗布物に塗布装置により塗料を塗布し、このように塗料が塗布された被塗布物を加熱装置により加熱させた後、このように加熱された被塗布物を冷却ユニットに導いて冷却させて、被塗布物を連続して塗装させることが行われている。
【０００３】
ここで、このようにして帯状体からなる被塗布物を連続して塗装させるようにした場合、塗布装置により塗料が塗布された被塗布物を加熱装置に導く途中や、加熱装置において加熱された被塗布物を冷却ユニットに導く途中において、被塗布物に塗布された塗料に含まれる有機溶剤やタール成分等がガスとなって外部に飛散し、環境に悪影響を与えるという問題があった。
【０００４】
また、従来においては、塗料が塗布された直後の被塗布物を直接加熱室に導いて、被塗布物に塗布された塗料を急速に加熱させて乾燥させた場合に、塗料に含まれる溶剤等が急速に蒸発され、塗膜の表面に発泡による凹凸が生じるのを抑制するため、特許文献２、３に示されるように、塗料が塗布された被塗布物を加熱させて乾燥させる加熱室の前に、塗料が塗布された被塗布物を低温で加熱させる低温加熱室を設け、塗料が塗布された直後の被塗布物を低温加熱室から加熱室に導いて、被塗布物に塗布された塗料が急速に加熱されるのを防止するようにしたものが提案されている。
【０００５】
しかし、特許文献２、３に示されるものは、前記のように塗布装置により塗料が塗布された被塗布物を加熱室に導く途中や、加熱室において加熱された被塗布物を冷却室に導く途中において、被塗布物に塗布された塗料に含まれる有機溶剤やタール成分等がガスとなって外部に飛散するのを防止するものではなく、特に、加熱室において加熱された被塗布物を冷却室に導く途中において、塗料に含まれる有機溶剤やタール成分等が、ガスとなって外部に飛散するのを防止することはできず、連続塗装装置における被塗布物を導出させる出口の開口から外部に飛散されていた。
【先行技術文献】
【特許文献】
【０００６】
【特許文献１】特開２００９−２１４０６６号公報
【特許文献２】特開平６−１１４３３１号公報
【特許文献３】特開平６−２６２１３２号公報
【発明の開示】
【発明が解決しようとする課題】
【０００７】
本発明は、帯状体からなる被塗布物を走行させ、この被塗布物に塗布装置によって塗料を塗布し、このように塗料が塗布された被塗布物を加熱させる加熱室と、加熱された被塗布物を冷却させる冷却室とに導いて、被塗布物を連続塗装させる連続塗装装置において、塗布装置により塗料が塗布された被塗布物を加熱室に導く途中や、加熱室において加熱された被塗布物を冷却室に導く途中において、被塗布物に塗布された塗料から発生したガスが外部に飛散するのを防止すると共に、塗装された被塗布物の塗膜に異物が付着するのを防止することを課題とするものである。
【課題を解決するための手段】
【０００８】
本発明に係る連続塗装装置においては、前記のような課題を解決するため、帯状体からなる被塗布物を走行させ、この被塗布物に塗布装置によって塗料を塗布し、このように塗料が塗布された被塗布物を加熱させる加熱室と、加熱された被塗布物を冷却させる冷却室とに導いて、被塗布物を連続塗装させる連続塗装装置において、被塗布物に塗布された塗料から発生するガスを回収するガス回収室を、前記の塗布装置若しくは塗布室内に設けた塗布装置と加熱室との間、前記の加熱室と冷却室との間の少なくとも一方を設けると共に、前記のガス回収室の内面を加熱させる加熱手段を設けた。
【０００９】
このように、塗布装置若しくは塗布室内に設けた塗布装置と加熱室との間や、加熱室と冷却室との間に、被塗布物に塗布された塗料から発生するガスを回収するガス回収室を設けると、塗布装置により塗料が塗布された被塗布物を加熱室に導く途中や、加熱室において加熱された被塗布物を冷却室に導く途中において、被塗布物に塗布された塗料から発生したガスが外部に飛散するのが防止されるようになる。
【００１０】
また、前記のようにガス回収室の内面を加熱させる加熱手段を設けて、ガス回収室の内面を加熱させると、被塗布物に塗布された塗料から発生したガスが、ガス回収室の内面において冷却されて、液化したり固化したりするのが防止され、液化された液化物や固化された固化物が、塗料が塗布された被塗布物の上に落下して、塗装された被塗布物の塗膜に異物が付着するのが防止される。
【００１１】
また、前記の塗布装置を塗布室内に設けるようにすると、塗布装置における塗料から発生したガスが外部に飛散するのも防止されるようになる。
【００１２】
そして、前記の連続塗装装置において、ガス回収室の内面を加熱手段によって加熱させるにあたっては、ガス回収室の壁部を２重構造にして壁部内に流路を形成し、この流路内に前記の加熱手段により加熱された熱風を通して、ガス回収室の内面を加熱させるようにすることができる。このようにすると、ガス回収室の内面だけを加熱させることができ、ガス回収室の内部全体を加熱させる場合に比べて、加熱に要するコストが低減されると共に、ガス回収室内が過剰に加熱されて、被塗布物に塗布された塗料に含まれる溶剤等が急速に蒸発されて、塗膜の表面に発泡による凹凸が生じるということもない。
【００１３】
ここで、前記のようにガス回収室の内面を加熱させるにあたっては、被塗布物に塗布された塗料から発生したガスが、ガス回収室の内面において冷却されて、液化したり固化したりするのを適切に防止するため、ガス回収室の内面の温度を、塗料から発生するガスの沸点以上にすることが好ましい。
【００１４】
そして、前記の連続塗装装置において、前記のようにガス回収室において被塗布物に塗布された塗料から発生したガスを回収した後は、回収したガスをこのガス回収室から排気ダクトを通してガス処理設備に導いて処理させるようにすることができる。
【発明の効果】
【００１５】
本発明における連続塗装装置においては、前記のように塗布装置と加熱室との間や、加熱室と冷却室との間に、被塗布物に塗布された塗料から発生するガスを回収するガス回収室を設けるようにしたため、塗布装置により塗料が塗布された被塗布物を加熱室に導く途中や、加熱室において加熱された被塗布物を冷却室に導く途中において、被塗布物に塗布された塗料から発生したガスが外部に飛散するのが防止されるようになる。
【００１６】
本発明における連続塗装装置においては、前記のようにガス回収室の内面を加熱手段によって加熱させるようにしたため、被塗布物に塗布された塗料から発生したガスが、ガス回収室の内面において冷却されて、液化したり固化したりするのが防止され、液化された液化物や固化された固化物が、塗料が塗布された被塗布物の上に落下して、塗装された被塗布物の塗膜に異物が付着するのが防止されるようになる。
【図面の簡単な説明】
【００１７】
【図１】本発明の一実施形態に係る連続塗装装置を示した概略説明図である。
【発明を実施するための最良の形態】
【００１８】
以下、本発明の実施形態に係る連続塗装装置を添付図面に基づいて具体的に説明する。なお、本発明に係る連続塗装装置は、下記の実施形態に示したものに限定されず、発明の要旨を変更しない範囲において、適宜変更して実施できるものである。
【００１９】
ここで、図１に示す実施形態における連続塗装装置においては、金属ストリップ等の帯状体からなる被塗布物Ｘを走行させて連続塗装させるにあたり、被塗布物Ｘに塗料を塗布するロールコーターからなる塗布装置１１が設けられた塗布室１０と、塗布室１０において被塗布物Ｘに塗布された塗料から発生するガスを回収する第１ガス回収室２０と、塗料が塗布された被塗布物Ｘを加熱させる加熱室３０と、加熱室３０において加熱された後の被塗布物Ｘにおける塗料から発生するガスを回収する第２ガス回収室４０と、加熱された被塗布物Ｘを冷却させる冷却室５０を連続して設けている。
【００２０】
そして、前記のように走行する被塗布物Ｘを、前記の塗布室１０、第１ガス回収室２０、加熱室３０、第２ガス回収室４０、冷却室５０の順に導いて、被塗布物Ｘを連続塗装させるようにしている。
【００２１】
ここで、この実施形態における連続塗装装置においては、加熱手段として熱風炉６０を設け、この熱風炉６０から熱風を給気ダクト６１に送り、この給気ダクト６１から熱風を前記の第１ガス回収室２０と加熱室３０と第２ガス回収室４０とにそれぞれ個別給気ダクト６１ａ，６１ｂ，６１ｃを通して導くようにすると共に、各個別給気ダクト６１ａ，６１ｂ，６１ｃにそれぞれ流量調整弁６２ａ，６２ｂ，６２ｃを設け、各流量調整弁６２ａ，６２ｂ，６２ｃにより第１ガス回収室２０と加熱室３０と第２ガス回収室４０とに送る熱風の流量を調整するようにしている。
【００２２】
また、この実施形態における連続塗装装置においては、前記の塗布室１０と第１ガス回収室２０と加熱室３０と第２ガス回収室４０において、塗料から発生したガスを回収させるにあたり、ファン７１が設けられた排気ダクト７２に対して、前記の塗布室１０と第１ガス回収室２０と加熱室３０と第２ガス回収室４０に設けられた各個別排気ダクト７２ａ，７２ｂ，７２ｃ，７２ｄを接続させ、これらの各個別排気ダクト７２ａ，７２ｂ，７２ｃ，７２ｄから導かれたガスを前記の排気ダクト７２を通してガス処理設備７０に導き、このガス処理設備７０において前記のガスから有害成分を除去する処理を行った後、処理済ガスを排気塔７３から排気させるようにしている。なお、加熱室３０における個別排気ダクト７２ｃにはガスの排気量を調整する調整弁７４を設けている。
【００２３】
ここで、この実施形態における連続塗装装置においては、前記のように走行する被塗布物Ｘを塗布室１０内に導き、この塗布室１０内に設けられた塗布装置１１によって被塗布物Ｘに塗料を塗布させると共に、この塗布室１０内において塗料から発生したガスを、前記の個別排気ダクト７２ａから排気ダクト７２を通してガス処理設備７０に導いて処理するようにしている。
【００２４】
そして、このように塗料が塗布された被塗布物Ｘを塗布室１０から前記の第１ガス回収室２０に導くようにしている。
【００２５】
また、このように塗料が塗布された被塗布物Ｘが導かれた第１ガス回収室２０においては、被塗布物に塗布された塗料から発生するガスを回収し、このガスを前記の個別排気ダクト７２ｂから排気ダクト７２を通してガス処理設備７０に導いて処理するようにしている。ここで、この第１ガス回収室２０においては、その壁部２１を２重構造にして壁部２１内に流路２２を形成し、前記のように個別給気ダクト６１ａから第１ガス回収室２０に導かれた熱風をこの流路２２内に導き、この熱風によって第１ガス回収室２０の内面を加熱させ、その後、この熱風を、案内ダクト６１ｄを通して加熱室３０内に導くようにしている。
【００２６】
このようにして第１ガス回収室２０の内面を加熱させると、塗料から発生したガスがこの第１ガス回収室２０の内面において冷却されて液化したり固化したりするのが防止され、液化された液化物や固化された固化物が、塗料が塗布された被塗布物Ｘの上に落下して、塗装された被塗布物Ｘの塗膜に異物が付着するのが防止される。また、このようにすると、第１ガス回収室２０の内面だけを適切に加熱させることができ、第１ガス回収室２０全体を加熱させる場合に比べて、加熱に要するコストが低減されると共に、第１ガス回収室２０内が過剰に加熱されて、被塗布物Ｘに塗布された塗料に含まれる溶剤等が急速に蒸発されて、塗膜の表面に発泡による凹凸が生じるということもない。なお、前記のように第１ガス回収室２０の内面を加熱させるにあたっては、前記のガスが液化したり固化したりするのを防止するため、第１ガス回収室２０の内面の温度を、被塗布物に塗布された塗料から発生するガスの沸点以上にすることが好ましい。
【００２７】
次いで、この第１ガス回収室２０を通して前記の被塗布物Ｘを加熱室３０に導き、この加熱室３０において前記の被塗布物Ｘを加熱させて、被塗布物Ｘに塗布された塗料を乾燥させるようにする。
【００２８】
ここで、この加熱室３０においては、前記の個別給気ダクト６１ｂを通して熱風を加熱室３０内に導き、この熱風により前記の被塗布物Ｘを加熱させて、被塗布物Ｘに塗布された塗料を乾燥させるようにすると共に、塗料から発生したガスを、前記の個別排気ダクト７２ｃから排気ダクト７２を通してガス処理設備７０に導いて処理するようにしている。
【００２９】
そして、このように加熱室３０において加熱された被塗布物Ｘを前記の第２ガス回収室４０に導くようにしている。
【００３０】
ここで、この第２ガス回収室４０においては、前記の加熱室３０において十分乾燥されずに、前記の被塗布物Ｘにおける塗料から発生するガスを回収し、このガスを前記の個別排気ダクト７２ｄから排気ダクト７２を通してガス処理設備７０に導いて処理するようにしている。ここで、この第２ガス回収室４０においても、前記の第１ガス回収室２０と同様に、その壁部４１を２重構造にして壁部４１内に流路４２を形成し、前記のように個別給気ダクト６１ｃから第２ガス回収室４０に導かれた熱風をこの流路４２内に導き、この熱風によって第２ガス回収室４０の内面を加熱させ、その後、この熱風を、案内ダクト６１ｅを通して加熱室３０内に導くようにしている。
【００３１】
このようにして第２ガス回収室４０の内面を加熱させると、前記の第１ガス回収室２０の場合と同様に、塗料から発生したガスがこの第２ガス回収室４０の内面において冷却されて、液化したり固化したりするのが防止され、液化された液化物や固化された固化物が、塗料が塗布された被塗布物Ｘの上に落下して、塗装された被塗布物Ｘの塗膜に異物が付着するのが防止され、また第２ガス回収室４０の内面だけを適切に加熱させることができ、第２ガス回収室４０全体を加熱させる場合に比べて、加熱に要するコストが低減される。なお、前記のように第２ガス回収室４０の内面を加熱させるにあたっては、前記の第１ガス回収室２０の場合と同様に、前記のガスが液化したり固化したりするのを防止するため、第２ガス回収室４０の内面の温度を、被塗布物に塗布された塗料から発生するガスの沸点以上にすることが好ましい。
【００３２】
そして、この第２ガス回収室４０を通して前記の被塗布物Ｘを冷却室５０内に導き、加熱室３０において加熱された被塗布物Ｘをこの冷却室５０内において冷却させ、このように冷却された被塗布物Ｘを冷却室５０から送り出して、被塗布物Ｘを連続塗装させるようにする。
【００３３】
なお、この実施形態における連続塗装装置においては、被塗布物Ｘに塗布された塗料から発生するガスを回収するガス回収室として、塗布室１０と加熱室３０との間に第１ガス回収室２０を設けると共に、加熱室３０と冷却室５０との間に第２ガス回収室４０を設けるようにしたが、第１ガス回収室２０と第２ガス回収室４０との何れか一方だけを設けるようにすることもできる。
【００３４】
また、第１ガス回収室２０の内面及び第２ガス回収室４０の内面を加熱させる方法も、この実施形態に示したものに限定されず、例えば、第１ガス回収室２０の壁部２１や第２ガス回収室４０の壁部４１にヒーター等の加熱装置（図示せず）を内蔵させるようにすることもできる。
【符号の説明】
【００３５】
１０    ：塗布室
１１    ：塗布装置
２０    ：第１ガス回収室
２１    ：壁部
２２    ：流路
３０    ：加熱室
４０    ：第２ガス回収室
４１    ：壁部
４２    ：流路
５０    ：冷却室
６０    ：熱風炉（加熱手段）
６１    ：給気ダクト
６１ａ，６１ｂ，６１ｃ  ：個別給気ダクト
６１ｄ，６１ｅ  ：案内ダクト
６２ａ，６２ｂ，６２ｃ  ：流量調整弁
７０    ：ガス処理設備
７１    ：ファン
７２    ：排気ダクト
７２ａ，７２ｂ，７２ｃ，７２ｄ  ：個別排気ダクト
７３    ：排気塔
７４    ：調整弁
Ｘ      ：被塗布物
【図１】
2016221418.tif 000003